(57)【要約】【課題】本発明の給湯機は、新たな加熱手段を設けることなく有効貯湯量を確保して、貯湯タンクを有効活用にすることで、湯切れの少ない給湯機を提供する。【解決手段】貯湯タンク８内がほぼ高温の湯で満たされた沸終運転時に加熱源１で加熱された湯を貯湯タンク８の底部に導く様に三方弁９を制御する制御手段２６を設置した。【選択図】図１
2006275444.tif 000002
【特許請求の範囲】
【請求項１】
ポンプにより貯湯タンクの底部より水を循環させることによって、貯湯タンク内の水を加熱源により加熱する給湯機において、加熱された湯が所定の温度に達しない場合は、加熱された湯は前記貯湯タンクの底部に導き、所定温度以上の場合は、加熱された湯は前記貯湯タンクの上部に導くよう制御する三方弁と、前記貯湯タンクの底部よりやや上方に設置された前記貯湯タンク底部近傍の水を前記ポンプへ誘導する吸込口管の吸込口と、前記貯湯タンク内の湯の加熱が完了する直前の沸終運転時に加熱源で加熱された湯を前記貯湯タンクの底部に導くように前記三方弁を制御する制御手段とを設けた給湯機。
【請求項２】
ポンプの吸込部の水温を検知する入水温度センサーを備え、制御手段は前記入水温度センサーの温度が所定温度となった時、三方弁を貯湯タンクの底部に導く側に制御する請求項１記載の給湯機。
【請求項３】
貯湯タンクの底部近傍の温度を検知する給水温度センサーを備え、制御手段は前記給水温度センサーの温度が所定温度となった時、前記三方弁を前記貯湯タンクの底部に導く側に制御する請求項１記載の給湯機。
【請求項４】
吸込口管を貯湯タンク側面より略水平に挿入した請求項１〜３いずれか１項に記載の給湯機。
【請求項５】
吸込口管の貯湯タンク底面側に吸込穴を開けた請求項４記載の給湯機。
【請求項６】
吸込穴を複数開けた請求項５記載の給湯機。
【請求項７】
吸込穴は前記吸込口管の管径より小さくした請求項４〜６いずれか１項に記載の給湯機。
【請求項８】
加熱源は圧縮機を含むヒートポンプである請求項１〜７いずれか１項に記載の給湯機。
【請求項９】
ヒートポンプに臨界圧力以上に昇圧された冷媒を用いたことを特徴とする請求項８に記載のヒートポンプ給湯機。
【発明の詳細な説明】
【技術分野】
【０００１】
本発明は、貯湯タンクを有した給湯機に関する。
【背景技術】
【０００２】
図５は従来の技術による給湯機である。図を見ながら説明する。ポンプ７は貯湯タンク８内の水を吸込口管１０より吸い込んで、第１加熱手段３０により加熱し、沸き戻し管１３により貯湯タンク８頭頂部に湯を戻す。第２加熱手段３１は吸込口管１０より下部の水を加熱する。減圧弁２０は市水を適度な圧力にして給水管１９を通して貯湯タンク８に供給する。
【０００３】
また、制御手段２６は第１加熱手段３０で加熱された湯水の温度を出湯温度センサー１６で検知し検知した温度に従って、ポンプ７の流量を調整する。
【０００４】
従来の発明では、第一加熱手段３０、第２加熱手段３１で発生したスケールが吸込管口１０より吸引されないように、吸込口管１０を貯湯タンク８の底部よりやや上方に設置している。
【０００５】
さらに、吸込口管１０より底部付近の水は第１加熱手段３０では加熱できないため、貯湯タンク８底部付近の水は第２加熱手段３１にて加熱することになる（特許文献１参照）。
【特許文献１】特開２０００−１７９９４１号公報
【発明の開示】
【発明が解決しようとする課題】
【０００６】
しかしながら、上記の構成では、給湯のための有効貯湯量を確保するためには、吸込口管１０より低い位置にある貯湯タンク８底部付近の水を加熱しなければならず第２加熱手段を新たに設ける必要があった。
【０００７】
よって、第２加熱手段３１を貯湯タンク８内部に設けているため、第２加熱手段３１の体積分、有効貯湯量が減少することになる。
【０００８】
本発明の目的は、新たな加熱手段を設けることなく有効貯湯量を確保して、貯湯タンク８を有効活用することで、湯切れの少ない給湯機を提供することにある。
【課題を解決するための手段】
【０００９】
この目的を達成するために本発明の給湯機は、ポンプにより貯湯タンクの底部より水を循環させることによって、貯湯タンク内の水を加熱源により加熱する給湯機において、加熱された湯が所定の温度に達しない場合は、加熱された湯は前記貯湯タンクの底部に導き、所定温度以上の場合は、加熱された湯は前記貯湯タンクの上部に導くよう制御する三方弁と、前記貯湯タンクの底部よりやや上方に設置された前記貯湯タンク底部近傍の水を前記ポンプへ誘導する吸込口管の吸込口と、前記貯湯タンク内の湯の加熱が完了する直前の沸終運転時に加熱源で加熱された湯を前記貯湯タンクの底部に導くように前記三方弁を制御する制御手段とを設けた給湯機とする。
【００１０】
これによって、沸終運転時に加熱されにくい吸込口管より低い位置にある貯湯タンク底部の水を吸込口管へ吸入させる流れを作ることができ、貯湯タンク底部の低温の水は吸込口管から吸入して放熱器で加熱できるので、第２の加熱手段を用いることなく有効貯湯量を確保できる。
【発明の効果】
【００１１】
本発明の給湯機は、新たな加熱手段を設けることなく有効貯湯量を確保して、貯湯タンクを有効活用にすることで、湯切れの少ない給湯機を提供できる。
【発明を実施するための最良の形態】
【００１２】
第１の発明は、ポンプにより貯湯タンクの底部より水を循環させることによって、貯湯タンク内の水を加熱源により加熱する給湯機において、加熱された湯が所定の温度に達しない場合は、加熱された湯は前記貯湯タンクの底部に導き、所定温度以上の場合は、加熱された湯は前記貯湯タンクの上部に導くよう制御する三方弁と、前記貯湯タンクの底部よりやや上方に設置された前記貯湯タンク底部近傍の水を前記ポンプへ誘導する吸込口管の吸込口と、前記貯湯タンク内の湯の加熱が完了する直前の沸終運転時に加熱源で加熱された湯を前記貯湯タンクの底部に導くように前記三方弁を制御する制御手段とを設けた給湯機とする。
【００１３】
これによって、沸終運転時に加熱されにくい吸込口管より低い位置にある貯湯タンク底部の水を吸込口管へ吸入させる流れを作ることができ、貯湯タンク底部の低温の水は吸込口管から吸入して放熱器で加熱でき、第２の加熱手段を用いることなく有効貯湯量を確保できるので、貯湯タンクを有効活用にすることで、湯切れの少ない給湯機を提供できる。
【００１４】
第２の発明は、特に第１の発明で、ポンプの吸込部の水温を検知する入水温度センサーを備え、入水温度センサーの温度が所定の温度となった時、  三方弁を貯湯タンクの底部に導く側に制御する制御手段を設置した。
【００１５】
これによって、沸終運転を確実に検知し、沸終運転時に加熱されにくい吸込口管より低い位置にある貯湯タンク底部の水を吸込口管へ吸入させる流れを作ることができ、貯湯タンク底部の低温の水は吸込口管から吸入して放熱器で加熱でき、第２の加熱手段を用いることなく有効貯湯量を確保できるので、貯湯タンクの内容積を有効活用にすることで、湯切れの少ない給湯機を提供できる。
【００１６】
第３の発明は、特に第１の発明で、貯湯タンクの底部近傍の温度を検知する給水温度センサーを備え、給水温度センサーの温度が所定の温度となった時、  三方弁を貯湯タンクの底部に導く側に制御する制御手段を設置した。
【００１７】
これによって、沸終運転を確実に検知し、沸終運転時に加熱されにくい吸込口管より低い位置にある貯湯タンク底部の水を吸込口管へ吸入させる流れを作ることができ、貯湯タンク底部の低温の水は吸込口管から吸入して放熱器で加熱でき、第２の加熱手段を用いることなく有効貯湯量を確保できるので、貯湯タンクの内容積を有効活用にすることで、湯切れの少ない給湯機を提供できる。
【００１８】
第４の発明は、特に第１〜３の発明で、吸込口管を貯湯タンク側面より略水平に挿入した。
【００１９】
これによって、沸終運転時に加熱されにくい吸込口管より低い位置にある貯湯タンク底部の水を吸込口管へ吸入させる流れを作ることができ、貯湯タンク底部の低温の水は吸込口管から吸入して放熱器で加熱でき、第２の加熱手段を用いることなく有効貯湯量を確保できるので、貯湯タンクを有効活用にすることで、湯切れの少ない給湯機を提供できる。
【００２０】
第５の発明は、特に第４の発明において、吸込口管の貯湯タンク底面側に吸込穴を開けた。
【００２１】
これによって、沸終運転時に加熱されにくい吸込口管より低い位置にある貯湯タンク底部の水を吸込口管へより良く吸入させる流れを作ることができ、貯湯タンク底部の低温の水は吸込口管から吸入して放熱器で加熱でき、第２の加熱手段を用いることなく有効貯湯量を確保できるので、貯湯タンクを有効活用にすることで、湯切れの少ない給湯機を提供できる。
【００２２】
第６の発明は、特に第４、５の発明において、吸込穴を複数開けた。
【００２３】
これによって、沸終運転時に加熱されにくい吸込口管より低い位置にある貯湯タンク底部の水を吸込口管へより良く吸入させる流れを作ることができ、貯湯タンク底部の低温の水は吸込口管から吸入して放熱器で加熱でき、第２の加熱手段を用いることなく有効貯湯量を確保できるので、貯湯タンクを有効活用にすることで、湯切れの少ない給湯機を提供できる。
【００２４】
第７の発明は、特に第４〜６の発明において、吸込穴を吸込口管の管径より小さくした。
【００２５】
これによって、スケールの吸い込みをより確実に防止するとともに、沸終運転時に加熱されにくい吸込口管より低い位置にある貯湯タンク底部の水を吸込口管へより良く吸入させる流れを作ることができ、貯湯タンク底部の低温の水は吸込口管から吸入して放熱器で加熱でき、第２の加熱手段を用いることなく有効貯湯量を確保できるので、貯湯タンクを有効活用にすることで、湯切れの少ない給湯機を提供できる。
【００２６】
第８の発明は、特に第１〜７の発明において加熱源として圧縮機を含むヒートポンプとした。
【００２７】
沸終運転時に加熱されにくい吸込口管より低い位置にある貯湯タンク底部の水を吸込口管へより良く吸入させる流れを作ることができ、貯湯タンク底部の低温の水は吸込口管から吸入して放熱器で加熱でき、第２の加熱手段を用いることなく有効貯湯量を確保できるので、貯湯タンクを有効活用にすることで、湯切れの少ない給湯機を提供できる。
【００２８】
第９の発明は、特に第８の発明において、ヒートポンプに臨界圧力以上に昇圧された冷媒を用いた。
【００２９】
これにより、前記臨界圧力以上に昇圧された冷媒により水を加熱することにより、冷媒が、圧縮機で臨界圧力以上に加圧されているので、水を加熱することによって熱を奪われて温度低下しても凝縮することがない。したがって、水を冷媒で加熱する熱交換器全域で冷媒側の流路と水側の流路とに温度差を形成しやすくなり、高温の湯が得られ、かつ熱交換効率を高くできる。
【００３０】
（実施の形態１）
以下、実施の形態１による給湯機について図面を用いて説明する。図１は本発明の実施の形態おける給湯機の回路図である。
【００３１】
装置の概要は、低温の湯水と高温の湯水とが層を成した状態で貯えられている貯湯タンク８と、その湯水を加熱する加熱源１であるヒートポンプ６を備え、ヒートポンプ６によって貯湯タンク８の水を加熱して沸き上げて貯湯して給湯に利用する。
【００３２】
先ず、加熱源１であるヒートポンプ６の構成について説明する。
【００３３】
ヒートポンプ６は、冷媒を圧縮する圧縮機２、冷媒を冷却する放熱器３、冷媒を減圧する減圧手段４、冷媒を蒸発気化する吸熱器５で構成されている。
【００３４】
このヒートポンプ６は、圧縮機２の吐出側より放熱器３を介して減圧手段４に接続し、さらに圧縮機２の吸入側に接続している。
【００３５】
また、このヒートポンプ６においては、冷媒として炭酸ガスが用いられており、圧縮機２によって圧縮された冷媒は、高温高圧の超臨界状態の冷媒として放熱器３に入り、ここで放熱して冷却する。その後、減圧手段４において減圧されて低温低圧の湿り蒸気となり、吸熱器５で空気と熱交換して蒸発気化し圧縮機２へ戻される。
【００３６】
一方、湯の沸き上げに関する構成は、貯湯タンク８の下部から沸上往き管１２でヒートポンプ６と接続し、ヒートポンプ６から貯湯タンク８上部へ沸上戻し管１３で接続している。そして、この沸上戻し管１３の途中から貯湯タンク８の下部へとバイパス管１４によりバイパスしている。なお、沸上往き管１２が接続されている貯湯タンク８の下部とは、貯湯タンク８の低温層の湯水が取得できる位置であればよい。
【００３７】
バイパス管１４の分岐部には三方弁９を設けて、ヒートポンプ６から貯湯タンク８への戻りを沸上戻し管１３によって貯湯タンク８上部に戻すか、バイパス管１４によって貯湯タンク８の下部に戻すかを任意に選択できる構成となっている。なお、沸上戻し管１３が接続されている貯湯タンク上部とは、湯水が貯湯タンク８の高温層側へ戻る程度の位置であればよく、また、貯湯タンク８の下部とは、湯水が貯湯タンクの低温層側へ戻る程度の位置であればよい。
【００３８】
貯湯タンク８からヒートポンプ６に湯水を送り貯湯タンク８に戻すために、沸上往き管１２の途中に出力を任意に変化させることができるポンプ７を設けている。ポンプ７の吸込口管１０は貯湯タンク８の底部近傍に略水平に挿入される。図２に吸込口管１０を貯湯タンク８の底部より見た図を示す様に、複数の吸込穴１１を開けた吸込管口１０より貯湯タンク８底部近傍の低温水を吸い込む。尚、吸込穴１１は吸込口管１０の管径より小さくしている。
【００３９】
また、ヒートポンプ６において加熱する前の低湯水の温度を検知する入水温度センサー１５を沸上往き管１２のヒートポンプ６入口側近傍に、加熱した高湯水の温度を検知する出湯温度センサー１６を沸上戻し管１３におけるヒートポンプ６出口近傍に設けている。
【００４０】
そして、貯湯タンク８の温度分布を把握するため、外側壁面に垂直方向等間隔に５点の貯湯温度センサー１７を備えている。
【００４１】
出湯温度センサー１６と貯湯温度センサー１７は制御手段２６に接続されており、制御手段２６は、出湯温度センサー１６と貯湯温度センサー１７の検知温度を把握することができる。また、制御手段２６は、出湯温度センサー１６と貯湯温度センサー１７の検知結果に基づいて、三方弁９の切り換えの制御を行う。
【００４２】
給湯に関する構成としては、貯湯タンクの底部に給水源から給水を行う給水管１９が接続され、給水源からは減圧弁２０にて適度な圧力に減圧されて給水管１９に入る。また、給水温度を検知するため給水温度センサー１８を備えている。
【００４３】
貯湯タンク８上部には貯湯された高湯水を出湯し給湯に利用するための給湯管２１が接続され、その途中には給水管１９からの給水バイパス管２２が接続されている。また、給湯管２１からの高湯水と給水バイパス管２２からの低湯水を任意の比率で混合可能な混合弁２３が設けられている。
【００４４】
混合弁２３の下流側には、混合された給湯温度を検知するために給湯温度センサー２５が設けられ、その先に給湯端末２４が接続されている。
【００４５】
また、貯湯タンク８の高湯水を用いた給湯に関して、給湯端末２４が給湯のために開けられると、貯湯タンク８内の湯水が給湯管２１から出湯されるとともに、給水管１９から貯湯タンク８に給水される。給湯温度に関して、給水バイパス管２２により給水を分岐し、貯湯タンク８からの高湯水と給水からの低湯水を混合弁２３において混合比を変えて混合することで、給湯温度を変化させて給湯端末２４に給湯する。この時の混合比は給湯温度センサー２５で検知される給湯温度に応じて制御され、所定の給湯温度に保たれる。貯湯タンク８内の高湯水と水を混ぜて温度を低下させることによって給湯を行うので、これによって貯湯タンク内の高湯水温度を給湯温度である４０℃から５０℃程度よりも大幅に高く、６５℃から９０℃程度として、貯湯タンク８の蓄熱密度を大きくすることが可能になる。
【００４６】
以上のように構成された給湯機において、以下、図１に基づいて動作、作用について説明する。
【００４７】
ヒートポンプ６では、圧縮機２によって圧縮された冷媒は、高温高圧の超臨界状態の冷媒として放熱器３に入り、ここで放熱して冷却する。その後、減圧手段４において減圧されて低温低圧の湿り蒸気となり、吸熱器５において空気と熱交換して蒸発気化し圧縮機２へ戻される。この時、貯湯タンク８の下部にある低温層の湯水は放熱器３の熱を吸熱して加熱される。
【００４８】
一方、貯湯タンクの下部にある低温層の湯水をヒートポンプ６により加熱し、貯湯タンク８に戻す貯湯運転においては、ヒートポンプ６の停止時に、三方弁９をバイパス管１４側に切り換えておく。そして、ヒートポンプ６を立ち上げ、ポンプ７を駆動し、貯湯タンク８からの低湯水を加熱する。
【００４９】
出湯温度センサー１６によりヒートポンプ６で加熱された水の温度を検知し、ポンプ７の出力を変えることで、ヒートポンプ６からの出湯温度を制御して目標の温度となるように加熱を行う。
【００５０】
出湯温度センサー１６により検知される出湯温度と、貯湯タンク８の外側面の給水温度センサー１８及び放熱器３に流入部に設置された入水温度センサー１５により把握される検知温度は、制御手段２６に出力される。そして、制御手段２６は、出湯温度と貯湯タンク下部の湯水の温度に基づいて三方弁１６の沸上戻し管２４側への切り換えタイミングを決定し制御する。
【００５１】
なお、給水温度センサー１８は、図１のように貯湯槽１下部に取り付けられているが、貯湯槽１内部に形成される高温と低温の層のうち、低温層の湯水の温度を測れる程度の位置であればよい。
【００５２】
出湯温度センサー１６で検知した温度が所定温度よりも高く、しかも給水温度センサー１８により検知された温度が所定の温度より低い場合には、制御手段２６は三方弁９を沸上戻し管１３側に切り換え、その検知温度が所定の温度より高い場合には三方弁９をバイパス管１４側に切り換える。
【００５３】
また、出湯温度センサー１６で検知した温度が所定温度よりも低い場合は、給湯温度センサー１８により貯湯タンク８下部の低湯層の湯水温度を検知し、その検知温度が予め設定された所定温度よりも低ければ、制御手段２６は三方弁９をバイパス管１４側とし、その検知温度が予め設定された所定温度よりも高ければ、三方弁９を沸上戻し管１３側に切り換える。
【００５４】
制御手段２６の処理手順は、図３に示すフロー図で表される。なお、図３中において出湯温度センサー１６の検知温度をＸ、給水温度センサー１８の検知温度をＹとする。
【００５５】
まず、出湯温度センサー１６と給水温度センサー１８の出力を受ける（ステップＳ２０１）。
【００５６】
次に、出湯温度センサー１６の検知温度が予め設定された第１の所定温度と比較する（ステップＳ２０２）。その結果、第１の所定温度の方が出湯温度センサー１６の検知温度よりも高ければ、給湯温度センサー１８の検知温度と予め設定された第２の所定温度とを比較する（ステップＳ２０３）。
【００５７】
次に、給湯温度センサー１８の検知温度の方が第２の所定温度よりも高ければ、三方弁９を沸上戻し管１３側に切り換える（ステップＳ２０４）。また、第２の所定温度の方が給湯温度センサー１８の検知温度よりも高ければ、三方弁９をバイパス管１４側に切り換える（ステップＳ２０５）。またさらにステップ２０２の結果、出湯温度センサー１６の検知温度の方が第１の所定温度よりも高ければ、給湯温度センサー１８の検知温度と予め設定された第３の所定温度とを比較する（ステップＳ２０６）。
【００５８】
次に、第３の所定温度の方が給湯温度センサー１８の検知温度よりも高ければ、三方弁９をバイパス管１４側に切り換える（ステップＳ２０７）。また、給湯温度センサー１８の検知温度の方が第３の所定温度よりも高ければ、三方弁９を沸上戻し管１３側に切り換える（ステップＳ２０８）。
【００５９】
この様に、貯湯タンク内がほぼ高温の湯で満たされた沸終運転時に加熱源で加熱された湯を貯湯タンクの底部に導く様に三方弁を制御する制御手段を設置したので、沸終運転時に加熱されにくい吸込口管より低い位置にある貯湯タンク底部の水を吸込口管へ吸入させる流れを作ることができ、貯湯タンク底部の低温の水は吸込口管から吸入して放熱器で加熱できるので、第２の加熱手段を用いることなく有効貯湯量を確保できる。
【００６０】
（実施の形態２）
実施の形態１は貯湯タンク８下部の給水温度センサー１８の検知温度に基づいて三方弁９の制御を行っていたが、実施の形態２は放熱器３に流入する水温を検知する入水温度センサー１５によって三方弁９を制御するものである。
【００６１】
以下、動作を説明するが、第１の実施形態と同様の動作についてはその説明を省略する。図１は実施の形態２を表す構成図である。
【００６２】
制御手段２６の処理手順は、図４に示すフロー図で表される。
【００６３】
出湯温度センサー１６で検知した温度が所定温度よりも高く、しかも入水温度センサー１５により検知された温度が所定の温度より低い場合には、制御手段２６は三方弁９を沸上戻し管１３側に切り換え、その検知温度が所定の温度より高い場合には三方弁９をバイパス管１４側に切り換える。
【００６４】
また、出湯温度センサー１６で検知した温度が所定温度よりも低い場合は、入水温度センサー１５により貯湯タンク８下部の低湯層の湯水温度を検知し、その検知温度が予め設定された所定温度よりも低ければ、制御手段２６は三方弁９をバイパス管１４側とし、その検知温度が予め設定された所定温度よりも高ければ、三方弁９を沸上戻し管１３側に切り換える。
【００６５】
なお、図４中において出湯温度センサー１６の検知温度をＸ、入水温度センサー１５の検知温度をＺとする。
【００６６】
まず、出湯温度センサー１６と入水温度センサー１５の出力を受ける（ステップＳ３０１）。次に、出湯温度センサー１６の検知温度が予め設定された第１の所定温度と比較する（ステップＳ３０２）。その結果、第１の所定温度の方が出湯温度センサー１６の検知温度よりも高ければ、入水温度センサー１５の検知温度と予め設定された第２の所定温度とを比較する（ステップＳ３０３）。
【００６７】
次に、入水温度センサー１５の検知温度の方が第２の所定温度よりも高ければ、三方弁９を沸上戻し管１３側に切り換える（ステップＳ３０４）。また、第２の所定温度の方が入水温度センサー１５の検知温度よりも高ければ、三方弁９をバイパス管１４側に切り換える（ステップＳ３０５）。またさらにステップ３０２の結果、出湯温度センサー１６の検知温度の方が第１の所定温度よりも高ければ、入水温度センサー１５の検知温度と予め設定された第３の所定温度とを比較する（ステップＳ３０６）。
【００６８】
次に、第３の所定温度の方が入水温度センサー１５の検知温度よりも高ければ、三方弁９をバイパス管１４側に切り換える（ステップＳ３０７）。また、入水温度センサー１５の検知温度の方が第３の所定温度よりも高ければ、三方弁９を沸上戻し管１３側に切り換える（ステップＳ３０８）。
【００６９】
この様に、貯湯タンク内がほぼ高温の湯で満たされた沸終運転時に加熱源で加熱された湯を貯湯タンクの底部に導く様に三方弁を制御する制御手段を設置したので、沸終運転時に加熱されにくい吸込口管より低い位置にある貯湯タンク底部の水を吸込口管へ吸入させる流れを作ることができ、貯湯タンク底部の低温の水は吸込口管から吸入して放熱器で加熱できるので、第２の加熱手段を用いることなく有効貯湯量を確保できる。
【産業上の利用可能性】
【００７０】
以上のように、本発明にかかる給湯装置は、新たな加熱手段を設けることなく有効貯湯量を確保して、貯湯タンクの内容積を有効活用にすることで、湯切れの少ない給湯機として有用である。
【図面の簡単な説明】
【００７１】
【図１】本発明の実施の形態における給湯機の回路図
【図２】本発明の実施の形態における吸込口管の図
【図３】本発明の実施の形態１における制御フロー図
【図４】本発明の実施の形態２における制御フロー図
【図５】従来の給湯機の回路図
【符号の説明】
【００７２】
１  加熱源
２  圧縮機
６  ヒートポンプ
７  ポンプ
８  貯湯タンク
９  三方弁
１０  吸込口管
１１  吸込穴
１５  入水温度センサー
１８  給水温度センサー
２６  制御手段
【図１】
2006275444.tif 000003
【図２】
2006275444.tif 000004
【図３】
2006275444.tif 000005
【図４】
2006275444.tif 000006
【図５】
2006275444.tif 000007